【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
第一のプレーヤーについての、あるブラックジャックのハンドに関連した一枚以上の第一プレーヤー・カードを同定する段階と；
第二のプレーヤーについての、前記ブラックジャックのハンドに関連した一枚以上の第二プレーヤー・カードを同定する段階と；
あるデバイスにおいて、前記一枚以上の同定されたプレーヤー・カードおよび前記一枚以上の同定された第二プレーヤー・カードを表示する段階と；
少なくともあらかじめ決定された統計的ブラックジャック・データのセット、前記一枚以上の第一プレーヤー・カードおよび前記一枚以上の第二プレーヤー・カードに基づいて、複数のプレイ・オプションのうちの第一のプレイ・オプションに関連する確率を決定する段階と；
少なくともあらかじめ決定された統計的ブラックジャック・データのセット、前記一枚以上の第一プレーヤー・カードおよび前記一枚以上の第二プレーヤー・カードに基づいて、複数のプレイ・オプションのうちの第二のプレイ・オプションに関連する確率を決定する段階と；
少なくとも前記第一のプレイ・オプションに関連する前記決定された確率に基づいて、前記第一のプレイ・オプションに関する第一の助言に対応する第一の指示、前記第一のプレイ・オプションに関する第二の助言に対応する第二の指示または前記第一のプレイ・オプションに関する第三の助言に対応する第三の指示のいずれを表示するかを決定する段階と、
少なくとも前記第二のプレイ・オプションに関連する前記決定された確率に基づいて、前記第二のプレイ・オプションに関する第一の助言に対応する第一の指示、前記第二のプレイ・オプションに関する第二の助言に対応する第二の指示または前記第二のプレイ・オプションに関する第三の助言に対応する第三の指示のいずれを表示するかを決定する段階とを有する方法であって、
前記第一のプレイ・オプションに関する前記第一の助言は前記第一のプレーヤーのための前記第一のプレイ・オプションを開始するという助言を含み、前記第一のプレイ・オプションに関する前記第二の助言は前記第一のプレーヤーのための前記第一のプレイ・オプションを開始しないという助言を含み、前記第一のプレイ・オプションに関する前記第三の助言は前記第一のプレーヤーにとって前記第一のプレイ・オプションが不利であるが、所定の閾値レベルよりも不利ではないという助言を含む、
方法。
【請求項２】
第一のプレーヤーについての、あるブラックジャックのハンドに関連した一枚以上の第一プレーヤー・カードを同定する前記段階が、前記第一のプレーヤーについて前記一枚以上の第一プレーヤー・カードを電子的に決定することを含み；
第二のプレーヤーについての、前記ブラックジャックのハンドに関連した一枚以上の第二プレーヤー・カードを同定する前記段階が、前記第二のプレーヤーについて前記一枚以上の第二プレーヤー・カードを電子的に決定することを含む、
請求項１記載の方法。
【請求項３】
前記第一のプレーヤーに、前記一枚以上の第一プレーヤー・カードおよび前記一枚以上の第二プレーヤー・カードを選択することを許容する段階をさらに有する、請求項１記載の方法であって：
第一のプレーヤーについての、あるブラックジャックのハンドに関連した一枚以上の第一プレーヤー・カードを同定する前記段階が、前記第一のプレーヤーから、前記一枚以上の第一プレーヤー・カードの選択を受け取ることを含み；
第二のプレーヤーについての、前記ブラックジャックのハンドに関連した一枚以上の第二プレーヤー・カードを同定する前記段階が、前記第一のプレーヤーから、前記一枚以上の第二プレーヤー・カードの選択を受け取ることを含む、方法。
【請求項４】
前記第一のプレイ・オプションに関する前記第一の指示、前記第二の指示または前記第三の指示のいずれを表示するかを決定する段階が、前記第一のプレイ・オプションに関連する前記確率が第一の範囲、第二の範囲または第三の範囲内にはいるかどうかを判別する段階と、
前記第一のプレイ・オプションに関する前記の決定された確率が前記第一の範囲内にある場合に、前記第一のプレーヤーに、前記第一のプレイ・オプションに関する第一の助言に対応する第一の指示を表示する決定をすること；
前記第一のプレイ・オプションに関する前記の決定された確率が前記第二の範囲内にある場合に、前記第一のプレーヤーに、前記第一のプレイ・オプションに関する第二の助言に対応する第二の指示を表示する決定をすること；および
前記第一のプレイ・オプションに関する前記の決定された確率が前記第三の範囲内にある場合に、前記第一のプレーヤーに、前記第一のプレイ・オプションに関する第三の助言に対応する第三の指示を表示する決定をすることのうちの一つとを含む、請求項１記載の方法。
【請求項５】
前記第二のプレーヤーがディーラーまたはハウス・エンティティを表す、請求項１記載の方法。
【請求項６】
前記一枚以上の同定された第一プレーヤー・カードが、前記第一のプレーヤーについての一対の表が上のカードを含み；
前記一枚以上の同定された第二プレーヤー・カードが、前記第二のプレーヤーについての一枚の表が上のカードを含む、
請求項１記載の方法。
【請求項７】
前記第一のプレーヤーから選択を受領するのに先立ってインターフェース画面が表示される、請求項１記載の方法。
【請求項８】
前記複数のプレイ・オプションがヒット・オプション、スタンド・オプションおよび少なくとも一つの他のブラックジャック・プレイ・オプションを含む、請求項８記載の方法。
【請求項９】
前記少なくとも一つの他のブラックジャック・プレイ・オプションが：
ダブルダウン・プレイ・オプション；
ペアをスプリットするプレイ・オプション；
インシュランス・プレイ・オプション；および
サレンダー・プレイ・オプション
のうち少なくとも一つを含む、請求項８記載の方法。
【請求項１０】
前記第一の助言に対応する前記第一の指示が、第一の色の光を含み；
前記第二の助言に対応する前記第二の指示が、第二の色の光を含み；
前記第三の助言に対応する前記第三の指示が、第三の色の光を含む、
請求項１記載の方法。
【請求項１１】
前記第一の助言に対応する前記第一の指示が、第一の記号を含み；
前記第二の助言に対応する前記第二の指示が、第二の記号を含み；
前記第三の助言に対応する前記第三の指示が、第三の記号を含む、
請求項１記載の方法。
【請求項１２】
前記第一のプレイ・オプションに関連する確率が、前記ブラックジャックのハンドで前記プレーヤーが前記第一のプレイ・オプションを選択した場合の、前記プレーヤーにとっての平均収益を含む、請求項１記載の方法。
【請求項１３】
前記ブラックジャックのハンドでの前記プレーヤーにとっての平均収益が、前記ブラックジャックのハンドで前記プレーヤーによって賭けられた額当たりの平均収益である、請求項１２記載の方法。
【請求項１４】
前記第一のプレイ・オプションに関連する確率が、前記複数のプレイ・オプションから前記第一のプレイ・オプションを選択することが、一つまたは複数の他のプレイ・オプションを選択することに比べて、前記ブラックジャックのハンドでの前記第一のプレーヤーの平均収益を最大にする確率を含む、請求項１記載の方法。
【請求項１５】
確率の前記第一の範囲が、前記第一のプレイ・オプションが前記第一のプレーヤーにとって統計的に有利であることに対応し；
確率の前記第二の範囲が、前記第一のプレイ・オプションが前記第一のプレーヤーにとって確率の前記第一の範囲ほど有利ではないことに対応し；
確率の前記第三の範囲が、前記第一のプレイ・オプションが前記第一のプレーヤーにとって確率の前記第二の範囲ほど有利ではないことに対応する、
請求項４記載の方法。
【請求項１６】
前記第一のプレイ・オプションが前記第一のプレーヤーにとって統計的に有利であることは、前記第一のプレイ・オプションが、一つまたは複数の他のプレイ・オプションに対し、前記ブラックジャックのハンドに勝つ前記第一のプレーヤーのオッズを最大にすることを含む、請求項１５記載の方法。
【請求項１７】
前記第一のプレイ・オプションが前記第一のプレーヤーにとって統計的に有利であることは、前記第一のプレイ・オプションが、一つまたは複数の他のプレイ・オプションに対し、前記ブラックジャックのハンドでの前記第一のプレーヤーの収益を最大にすることを含む、請求項１５記載の方法。
【請求項１８】
前記第一のプレイ・オプションに関連する確率を決定する前記段階が、前記複数のプレイ・オプションのそれぞれについて、そのプレイ・オプションに関連する平均収益を決定することを含み、
少なくとも前記第一のプレイ・オプションに関連する前記決定された確率に基づいて、第一の指示、第二の指示または第三の指示のいずれを表示するかを決定する段階が：
前記第一のプレイ・オプションに関連する前記の決定された平均収益が、前記複数のプレイ・オプションにいずれに関連するものに対しても最高の平均収益である場合に、第一の指示を表示することを決定し；
前記第一のプレイ・オプションに関連する前記の決定された平均収益が、前記最高の平均収益を有するプレイ・オプションの平均収益よりも、ある閾値未満の量だけ下回る場合に、第二の指示を表示することを決定し；
前記第一のプレイ・オプションに関連する前記の決定された平均収益が、前記最高の平均収益を有するプレイ・オプションの平均収益よりも、前記閾値を超える量だけ下回る場合に、第三の指示を表示することを決定する、ことを含む、
請求項１記載の方法。
【請求項１９】
平均収益が、前記ブラックジャックのハンドで前記プレーヤーによって賭けられている単位賭け金に基づいて決定され；
前記閾値の量が、単位賭け金の0.05ないし0.40の間の量である、
請求項１８記載の方法。
【請求項２０】
確率の前記第一の範囲が、前記第一のプレイ・オプションを選択することが前記第一のプレーヤーにとって有利である確率の50%ないし100%の間の範囲であり；
確率の前記第二の範囲が、前記第一のプレイ・オプションを選択することが前記第一のプレーヤーにとって有利である確率の50%ないし50%未満のある閾値百分率の間の範囲であり；
確率の前記第三の範囲が、前記第一のプレイ・オプションを選択することが前記第一のプレーヤーにとって有利である確率の0%ないし前記閾値百分率の間の範囲である、
請求項４記載の方法。
【請求項２１】
前記閾値百分率が、40%ないし50%の間のある特定の百分率である、請求項２０記載の方法。
【請求項２２】
確率の前記第二の範囲が、前記第一のプレイ・オプションが前記第一のプレーヤーにとって統計的に不利であることに対応し；
当該方法がさらに：
前記複数のプレイ・オプションから選択することを前記第一のプレーヤーに許容する段階と；
前記第一のプレイ・オプションの選択を前記第一のプレーヤーから受領する段階と；
前記第一のプレーヤーにとって統計的に不利である前記第一のプレイ・オプションの選択を前記第一のプレーヤーから受け取るのに反応して、自動的に、前記第一のプレイ・オプションの選択を確認することを前記第一のプレーヤーに要求するメッセージを前記第一のプレーヤーに対して表示する段階、
をさらに有する、請求項４記載の方法。
【請求項２３】
前記メッセージが、前記第一のプレイ・オプションが前記第一のプレーヤーにとって統計的に不利であることを示す、請求項２２記載の方法。
【請求項２４】
前記第一のプレーヤーから、前記ブラックジャックのハンドについての賭け金額の選択を受け取る段階をさらに有する請求項３２記載の方法であって：
前記メッセージを前記第一のプレーヤーに対して表示する前記段階が、前記の選択された賭け金額が所定の賭け金額閾値を超える場合に前記メッセージを前記第一のプレーヤーに対して表示することを含む、
請求項２２記載の方法。
【請求項２５】
以前にプレイされたブラックジャックのハンドについての実績統計を前記第一のプレーヤーに対して表示する段階をさらに有する、請求項１記載の方法。
【請求項２６】
数列の賭け情報を前記第一のプレーヤーに対して表示する段階をさらに有する、請求項１記載の方法。
【請求項２７】
前記ブラックジャックのハンドに関連する、関連する賭け金額を有する賭け金を前記第一のプレーヤーから受け取る段階と；
前記ブラックジャックのハンドの結果を決定する段階と；
少なくとも前記ブラックジャックのハンドの前記結果および前記ブラックジャックのハンドに関連する賭け金額に基づいて、前記ブラックジャックのハンドについての第一プレーヤー払い出し額を決定する段階と；
少なくとも前記第一プレーヤー払い出し額に基づいて前記第一のプレーヤーについての残高を管理する段階と；
前記第一のプレーヤーについての前記残高の増加または減少を時間を追ってモニタリングする段階、
とをさらに有する、請求項１記載の方法。
【請求項２８】
第一のプレーヤーのカードを表示する第一のディスプレイ部分と；
第二のプレーヤーのカードを表示する第二のディスプレイ部分と；
複数のプレイ・オプションのうちある第一のプレイ・オプション、第二のプレイ・オプションおよび第三のプレイ・オプションに関する助言を表示するよう動作可能である助言ディスプレイと；
メモリであって、少なくとも一時的に：
あらかじめ決定された統計的ブラックジャック・データのセット；
第一のプレーヤーについての、あるブラックジャックのハンドに関連した一枚以上の第一プレーヤー・カード；および
第二のプレーヤーについての、前記ブラックジャックのハンドに関連した一枚以上の第二プレーヤー・カードを記憶するよう動作可能であるメモリと；
プロセッサであって：
前記一枚以上の第一プレーヤー・カードを前記第一のディスプレイに表示させ、前記一枚以上の第二プレーヤー・カードを前記第二のディスプレイに表示させ；
少なくとも前記あらかじめ決定された統計的ブラックジャック・データのセット、前記一枚以上の第一プレーヤー・カードおよび前記一枚以上の第二プレーヤー・カードに基づいて、前記第一のプレイ・オプションに関連する確率を決定し；
少なくとも前記あらかじめ決定された統計的ブラックジャック・データのセット、前記一枚以上の第一プレーヤー・カードおよび前記一枚以上の第二プレーヤー・カードに基づいて、前記第二のプレイ・オプションに関連する確率を決定し；
少なくとも前記第一のプレイ・オプションに関連する前記決定された確率に基づいて、前記第一のプレイ・オプションに関する第一の助言に対応する第一の指示、前記第一のプレイ・オプションに関する第二の助言に対応する第二の指示または前記第一のプレイ・オプションに関する第三の助言に対応する第三の指示のいずれを表示するかを決定し、
少なくとも前記第二のプレイ・オプションに関連する前記決定された確率に基づいて、前記第二のプレイ・オプションに関する第一の助言に対応する第一の指示、前記第二のプレイ・オプションに関する第二の助言に対応する第二の指示または前記第二のプレイ・オプションに関する第三の助言に対応する第三の指示のいずれを表示するかを決定し、
前記第一のプレイ・オプションに関する前記の決定された第一の指示、第二の指示または第三の指示を前記助言ディスプレイを介して表示させ、
前記第二のプレイ・オプションに関する前記の決定された第一の指示、第二の指示または第三の指示を前記助言ディスプレイを介して表示させ、ここで、前記第一のプレイ・オプションに関する前記第一の助言は前記第一のプレーヤーのための前記第一のプレイ・オプションを開始するという助言を含み、前記第一のプレイ・オプションに関する前記第二の助言は前記第一のプレーヤーのための前記第一のプレイ・オプションを開始しないという助言を含み、前記第一のプレイ・オプションに関する前記第三の助言は前記第一のプレーヤーにとって前記第一のプレイ・オプションが不利であるが、所定の閾値レベルよりも不利ではないという助言を含む、よう動作しうるプロセッサ、
とを有する装置。
【請求項２９】
前記プロセッサがさらに、前記ブラックジャックのハンドに関する前記一枚以上の第一プレーヤー・カードおよび前記一枚以上の第二プレーヤー・カードを決定するよう動作しうる、請求項２８記載の装置。
【請求項３０】
前記複数のプレイ・オプションから選択することをプレーヤーに許容する複数のオプション選択インターフェースをさらに有する請求項２８記載の装置であって、
前記助言ディスプレイが、前記複数のオプション選択インターフェースのうち前記第一のプレイ・オプションに対応する第一のオプション選択インターフェースに付随している、装置。
【請求項３１】
前記プロセッサがさらに、前記第一のプレイ・オプションに関連する前記確率が第一の範囲、第二の範囲または第三の範囲内にはいるかどうかを判別し、
前記第一のプレイ・オプションに関連する前記の決定された確率が前記第一の範囲内にあれば、前記第一のプレイ・オプションに関する第一の助言に対応する第一の指示を、前記助言ディスプレイを介して表示させ；
前記第一のプレイ・オプションに関連する前記の決定された確率が前記第二の範囲内にあれば、前記第一のプレイ・オプションに関する第二の助言に対応する第二の指示を前記助言ディスプレイを介して表示させ；
前記第一のプレイ・オプションに関連する前記の決定された確率が前記第三の範囲内にあれば、前記第一のプレイ・オプションに関する第三の助言に対応する第三の指示を前記助言ディスプレイを介して表示させる、
よう動作しうる、請求項２８記載の装置。
【請求項３２】
前記第一のディスプレイ部分、前記第二のディスプレイ部分、前記助言ディスプレイ、前記メモリおよび前記プロセッサを有するハンドヘルド・ゲーム・ユニットを含むことを特徴とする、請求項２８記載の装置。
【請求項３３】
前記複数のプレイ・オプションから選択することをプレーヤーに許容する複数のオプション選択インターフェースをさらに有する請求項３２記載の装置。
【請求項３４】
前記第一プレーヤー・カードおよび第二プレーヤー・カードの少なくとも一つについて特定のカード値を選択することによってブラックジャック・ゲーム状況をシミュレートすることをプレーヤーに許容する、一つまたは複数のカード選択インターフェースと；
前記第一のプレイ・オプションに関連する確率の決定を開始させることをプレーヤーに許容する、助言要求インターフェース、
とをさらに有する、請求項２８記載の装置。
【請求項３５】
第一のプレーヤーについての、あるブラックジャックのゲームに関連した一枚以上の第一プレーヤー・カードを同定する段階と；
第二のプレーヤーについての、前記ブラックジャックのゲームに関連した一枚以上の第二プレーヤー・カードを同定する段階と；
前記第一のプレーヤーに対して、前記一枚以上の同定されたプレーヤー・カードおよび前記一枚以上の同定された第二プレーヤー・カードを表示する段階と；
第一のプレイ・オプションに関連する第一の確率および第二のプレイ・オプションに関連する第二の確率を決定する段階であって、前記第一の確率は前記第二の確率より大きい、段階と；
前記第一のプレイ・オプションと関連させて第一の助言インジケータを表示する段階と；
前記第二の確率が前記第一の確率からある設定可能な閾値量以内にあれば、前記第二のプレイ・オプションと関連させて第二の助言インジケータを表示する段階と；
前記第二の確率が前記第一の確率から前記設定可能な閾値量以内になければ、前記第二のプレイ・オプションと関連させて第三の助言インジケータを表示する段階とを有する、方法。
【請求項３６】
請求項３５記載の方法であって、前記設定可能な閾値量が１０パーセントであり：
前記第二の確率が前記第一の確率から１０パーセント以内にあれば、前記第二のプレイ・オプションと関連させて前記第二の助言インジケータが表示され；
前記第二の確率が前記第一の確率から１０パーセント以内になければ、前記第二のプレイ・オプションと関連させて前記第三の助言インジケータが表示される、方法。